(57)【要約】【課題】  読取原稿の種類に応じた背景色を原稿の搬送方向に沿って容易且つ確実に切り替えることによって、歪みや読取ムラのない正確な読取画像を得ることができる原稿読取装置を提供することである。【解決手段】  原稿を読み取るためのコンタクトガラス７に対向して配置され、該コンタクトガラス７に沿って原稿の読み取りをガイドするガイド手段５０とを備えた原稿読取装置において、前記ガイド手段５０は、背景色の異なる２つの平面部５２ａ，５２ｂが角度を持って形成された背景板５２を有し、この背景板５２のいずれか一の平面部５２ａ，５２ｂが前記コンタクトガラス７と対向するように回転する際に、前記背景板５２が前記コンタクトガラス７と直交する方向に揺動可能とした。【選択図】      図３
2011124785.tif 000002
【特許請求の範囲】
【請求項１】
原稿を読み取るための読取面を有する読取手段と、前記読取面に向けて原稿を搬送する搬送手段と、前記読取面に対向して配置され、該読取面に沿って原稿の読み取りをガイドするガイド手段とを備えた原稿読取装置において、
前記ガイド手段は、背景色の異なる少なくとも２つの平面部が角度を持って形成された背景板を有し、この背景板のいずれか一の平面部が前記読取面と対向するように回転する際に、前記背景板が前記読取面と直交する方向に揺動可能としたことを特徴とする原稿読取装置。
【請求項２】
前記ガイド手段は、前記背景板を回転支持する背景切替体と、
前記背景板の少なくとも２つの平面部が前記読取面に対向するように前記背景切替体を回転させる回転駆動手段と、
前記背景切替体を回転させる際に、前記読取面と直交する方向に前記背景板を近接及び離間させるための揺動手段とを備えた請求項１に記載の原稿読取装置。
【請求項３】
前記背景板には、前記読取面と当接し、該読取面との間に一定のギャップを保持させるための突起部が設けられる請求項１又は２に記載の原稿読取装置。
【請求項４】
前記突起部は、前記背景板の少なくとも２つの平面部が交わる角部に設けられる請求項３に記載の原稿読取装置。
【請求項５】
前記揺動手段は、前記背景切替体を回転可能に軸支持する軸支持部材と、前記突起部が前記読取面に当接するように前記軸支持部材を付勢する付勢部材とを備える請求項２又は３に記載の原稿読取装置。
【請求項６】
前記背景板は、白色系の背景色と黒色系の背景色からなる２種類の平面部を有する請求項１に記載の原稿読取装置。
【請求項７】
前記背景板は、２つの平面部がＬ字状に形成されている請求項１に記載の原稿読取装置。
【発明の詳細な説明】
【技術分野】
【０００１】
本発明は、原稿の画像を読み取る原稿読取装置に関し、詳しくは読み取られる原稿の種類に応じて背景色を切り替えるための機構を備えた原稿読取装置に関するものである。
【背景技術】
【０００２】
従来、搬送路中に設けられている読取部を通過する原稿の画像を静止した読取ユニットにて読み取る装置、いわゆるシートスルー型の原稿読取装置が知られている。このような原稿読取装置にあっては、読取位置における原稿の背景が原稿画像に影響を与えないようにするため、読取面（コンタクトガラス）に対向する位置に設けられるガイド板を白色部材によって構成している場合が多い。
【０００３】
このような、白色部材からなるガイド板を用いた構成の原稿読取装置にあっては、両面に文字等の画像が記録された両面原稿の表面画像を読み取る際に、裏面側の画像も同時に読み取られる、いわゆる裏写りが生じ、正確な画像の読み取りができないという問題点があった。特に、この裏写りは、薄手の原稿の場合に顕著となっていた。
【０００４】
このような裏写りを防止するために、白色部材と黒色部材とによる２つの背景面を有するガイド板を設け、原稿の種類に応じて白色部材と黒色部材とを切り替える切替機構を備えた構造の原稿読取装置がいくつか提案されている。
【０００５】
例えば、特許文献１には、画像読取手段に備わる読取面に対向するように、白色領域と黒色領域とを有する背景切替板を設け、この背景切替板をスライド移動機構によって水平方向にスライド移動させて背景を白又は黒に切り替える原稿読取装置が提案されている。また、特許文献２には、白面と黒面とを有する背景切替用ローラを読取面（コンタクトガラス）と対面させて設け、背景切替用ローラを駆動機構で回転させることで背景を白又は黒に切り替えるように制御する原稿読取装置が提案されている。
【０００６】
これらの装置では、主にシェーディング補正データを取得する際に背景色を切り替えるようになっている。通常、片面原稿を読み取る際には白色系の背景板を読取位置に対向させておき、薄手の両面原稿を読み取る際に、黒色系の背景板が読取位置に対向するように移動させている。
【先行技術文献】
【特許文献】
【０００７】
【特許文献１】特開平８−２２１５５９号公報
【特許文献２】特開２００３−３４８３０１号公報
【発明の概要】
【発明が解決しようとする課題】
【０００８】
しかしながら、特許文献１に記載の発明のように、背景切替板をスライド移動させるものにあっては、背景切替板を原稿の搬送方向にスライド移動させているため、読取位置の搬送上流側に段差が形成され、この段差を原稿の後端が通過する際の読取画像に歪みが生じるといった問題があった。また、特許文献２に記載の発明のように、背景切替用ローラを採用したものにおいては、背景切替用ローラが読取手段による読取ラインに対して傾いて取り付けられると、画像ムラが生じて良好な読取画像が得られなくなるといった問題があった。
【０００９】
そこで、本発明の目的は、読取原稿の種類に応じた背景色を原稿の搬送方向に沿って容易且つ確実に切り替えることによって、歪みや読取ムラのない正確な読取画像を得ることができる原稿読取装置を提供することである。
【課題を解決するための手段】
【００１０】
上記課題を解決するために、本発明の原稿読取装置は、原稿を読み取るための読取面を有する読取手段と、前記読取面に向けて原稿を搬送する搬送手段と、前記読取面に対向して配置され、該読取面に沿って原稿の読み取りをガイドするガイド手段とを備えた原稿読取装置において、前記ガイド手段は、背景色の異なる少なくとも２つの平面部が角度を持って形成された背景板を有し、この背景板のいずれか一の平面部が前記読取面と対向するように回転する際に、前記背景板が前記読取面と直交する方向に揺動可能としたことを特徴とする。
【発明の効果】
【００１１】
本発明の原稿読取装置によれば、背景板が背景色の異なる少なくとも２つの平面部を有し、原稿の種類に応じて、選択された前記一の平面部を読取面と平行になるように対向配置させることができるので、読取ムラや歪み等が生じない良好な読取操作を行うことができる。また、前記背景板自体が前記読取面と直交する方向に揺動可能に配置されているため、少なくとも２つの平面部の回転による切り替えを前記読取面に対して容易且つスムーズに行わせることができる。
【図面の簡単な説明】
【００１２】
【図１】本発明に係る原稿読取装置の全体構成を示す断面図である。
【図２】上記原稿読取装置を構成する搬送読取ユニットの要部断面図である。
【図３】上記搬送読取ユニット内のガイド手段の構成を示す断面図である。
【図４】上記ガイド手段を構成する背景切替体の背景板を中心とした斜視図である。
【図５】上記ガイド手段を構成する背景切替体の支持部材を中心とした斜視図である。
【図６】上記背景切替体の断面図である。
【図７】上記背景切替体の駆動機構の断面図である。
【図８】上記背景切替体の回転動作を示す説明図である。
【図９】上記背景切替体の動作制御フロー図である。
【発明を実施するための形態】
【００１３】
以下、図面を参照しつつ本発明に係る原稿読取装置の実施形態を詳細に説明する。図１に示すように本発明の原稿読取装置１は、第１の画像読取部４を有する本体ユニット２と、この本体ユニット２の上方に第２の画像読取部５を有して開閉可能に取り付けられる搬送読取ユニット３とを備えて構成されている。
【００１４】
前記第１の画像読取部４では、第１の読取面である第１のコンタクトガラス６の上面を通過する原稿の一方の面（表面）を読み取り、第２の画像読取部５では、前記第１のコンタクトガラス６上を通過した原稿の他方の面（裏面）を第２の読取面である第２のコンタクトガラス７を通して読み取る。また、本体ユニット２の上面には、原稿を載置するための平面スペースを有する第３の読取面となる第３のコンタクトガラス８が設けられ、このコンタクトガラス８上にセットされた原稿を前記第１の画像読取部４が移動することによって読み取ることができるようになっている。
【００１５】
前記第１の画像読取部４は、ランプなどの光源１０、複数のミラー１１，１２，１３，１４，１５，レンズ１６，ＣＣＤなどの光電変換素子１７等を備える。この第１の画像読取部４上を通過する原稿には、前記第１のコンタクトガラス６を介して光源１０から発せられる光が照射される。そして、前記原稿面に照射されて反射した光をミラー１１〜１５によって何度か反射させた後、レンズ１６を介して光電変換素子１７で光電変換することで原稿の画像が読み取られる。
【００１６】
本体ユニット２に設けられている第３のコンタクトガラス８は、ブック物等の厚手の原稿を固定した状態で読み取り操作する際に使用され、この第３のコンタクトガラス８の下面に沿って前記第１の画像読取部４を水平移動させることによって原稿の読取処理が行われる。
【００１７】
次に、搬送読取ユニット３の構成について説明する。この搬送読取ユニット３は、図１に示したように、複数枚の原稿を載置可能な給紙トレイ２０と、載置された複数枚の原稿を繰出位置に昇降する支持トレイ２１と、読取処理の終了した原稿を収納する排紙トレイ２２とを備えている。
【００１８】
また、この搬送読取ユニット３には、給紙トレイ２０上に積載されている複数枚の原稿から１枚ずつ第１のコンタクトガラス６に向けて給紙する給紙路２３と、この給紙路２３から第１のコンタクトガラス６及び第２のコンタクトガラス７を経由して延びる中継路２４と、この中継路２４から排紙トレイ２２の排紙口に連なる排紙路２５とを有する。
【００１９】
前記給紙トレイ２０には、載置された原稿の両側部を規制する一対のサイドガイド２６が設けられている。この一対のサイドガイド２６は、一般的なラック及びピニオンを用いた連動機構によって連結されており、給紙トレイ２０の原稿載置領域における原稿幅方向の中央基準に幅方向に互いに接近及び離反し、原稿の中央部を基準に位置付けるように構成されている。
【００２０】
さらに、原稿を載置した支持トレイ２１が上昇によって当接された原稿を繰り出すための繰出ローラ２７と、繰り出された原稿を給送する給紙ローラ２８と、この給紙ローラ２８に圧接して原稿を１枚ずつに分離する分離パッド２９と、１枚ずつに分離されて給紙される原稿の先端を突き当てて整合した後に下流側に送るレジストローラ対３０とを備える。
【００２１】
前記中継路２４には、第１のコンタクトガラス６に向けて原稿を搬送するための送りローラ対３１と、第１のコンタクトガラス６の上流側に配置される第１の搬送ローラ対３２と、前記第１のコンタクトガラス６の下流側に配置される第２の搬送ローラ対３３とが設けられている。また、前記第２の画像読取部５の下流側には、第３の搬送ローラ対３４が設けられ、さらに、その先の排紙路２５には、排紙トレイ２２に排紙する排紙ローラ対３３が設けられている。
【００２２】
次に、前記第２の画像読取部５の詳細について説明する。この第２の画像読取部５は、図２に示すように、第２のコンタクトガラス７に向けて搬送される原稿に光を照射するランプなどの光源４１と、原稿からの反射光を所定の方向に導く複数のミラー４２，４３，４４と、これら複数のミラーにより導かれた反射光を収束するレンズ４５と、このレンズ４５により収束された光を光電変換する光電変換素子４６とを備えている。
【００２３】
このような第２の画像読取部５を前記第１の画像読取部４の下流側に設けることによって、前記第１の画像読取部４を通過する原稿については表面を読み取り、第２の画像読取部５を通過する際には裏面を続けて読み取ることができる。このように、原稿が給紙トレイ２０から排紙トレイ２２に向けて搬送される間に、原稿の表面と裏面とを連続して読み取ることができるので、両面原稿の画像読取時間を大幅に短縮することができる。
【００２４】
上述したような構造の原稿読取装置１にあっては、特に薄い紙質の両面原稿を読み取る際に、原稿の読み取る面とは反対側の画像を読み込んでしまう（裏写り）といった問題がある。そこで、本実施形態では、より確実且つ簡易に両面原稿の裏写りを防止して原稿の搬送ガイドを行うことのできる背景板を備えたガイド手段を設けた。以下、このガイド手段について詳細に説明する。
【００２５】
図３は、搬送読取ユニット３内の第２の画像読取部５に対向して設けられるガイド手段５０の構成を示したものである。このガイド手段５０は、第２のコンタクトガラス７に対向するように回転可能に配置される背景切替体５１と、この背景切替体５１の回転面に設けられる２つの平面部５２ａ，５２ｂを有する背景板５２と、背景切替体５１を回転可能且つ揺動可能に保持するガイドホルダ５５とを備えて構成されている。前記背景切替体５１は、ガイドホルダ５５の一端を凹設した凹部内に背景板５２が露出するようにして、一対の回転軸５３ａ，５３ｂを介して回転支持されている。また、前記ガイドホルダ５５の上部には、第２のコンタクトガラス７を通過した原稿を第３の搬送ローラ対３４に向けてガイドするガイド板５６が一体に設けられている。
【００２６】
前記ガイドホルダ５５は、下流側の一端が回動ピン５７を介して搬送読取ユニット３に軸支持され、底部には前記背景切替体５１を第２のコンタクトガラス７側に付勢させるための付勢部材（付勢バネ）５８が第３のコンタクトガラス８に当接する当接板５４との間に設けられている。このため、前記背景板５２と一体に回転する背景切替体５１が第２のコンタクトガラス７に対して近接及び離間する方向に揺動自在となる。符号５９は原稿を背景板５２の各平面部５２ａ，５２ｂにガイドするための可撓性のフィルム部材５９である。このフィルム部材５９は、上流側の一端が前記ガイドホルダ５５に取り付けられ、下流側はフリーの状態で各平面部５２ａ，５２ｂの上面まで延設されている。
【００２７】
前記背景板５２は、原稿の搬送方向に直交する幅サイズに合わせた長方形状の２つの平面部５２ａ，５２ｂからなり、このそれぞれの平面部５２ａ，５２ｂは所定の角度を持たせて形成されている。また、前記各平面部５２ａ，５２ｂは、それぞれ異なった背景色となっている。本実施形態では、原稿幅方向に延びる板材をＬ字状に成形あるいは折曲げ等によって互いに直交する平面部５２ａ，５２ｂを形成したものであり、一方の平面部５２ａが白色系の背景面（白色面）で、他方の平面部５２ｂが黒色系の背景面（黒色面）となっている。前記背景板５２は、プラスチック等の樹脂材あるいは金属材によって形成され、表面に白色及び黒色の塗料を塗布、あるいは、白色及び黒色のシール材を貼付する等によって、各背景面を構成している。
【００２８】
したがって、片面にのみ画像が形成された片面原稿を読み取る場合は、前記背景板５２の白色面５２ａを第２のコンタクトガラス７に対向させ、両面に画像が形成されている両面原稿を読み取る場合には、黒色面５２ｂを第２のコンタクトガラス７に対向させるように切り替えることで、原稿の裏写りによる画像読取不良を防止することが可能となる。
【００２９】
図４及び図５に前記背景板５２を備えた背景切替体５１の構造を示す。この背景切替体５１は、前記背景板５２を支持する支持部材６０と、この支持部材６０の長手方向に対向して設けられ、その中心部から回転軸５３ａ，５３ｂが突出する一対の側板６２ａ，６２ｂとを備える。
【００３０】
前記側板６２ａ，６２ｂには、それぞれの四隅に高さ幅が略等しい四片の突起部６３ａ〜６３ｄ、６４ａ〜６４ｄが一体に形成されている。前記突起部６３ａ，６４ａは白色面５２ａの長手方向の両角部に対応し、突起部６３ｃ，６４ｃは黒色面５２ｂの長手方向の両角部に対応して設けられる。また、突起部６３ｂ，６４ｂは白色面５２ａと黒色面５２ｂとが交差する両角部に対応して設けられ、突起部６３ｄ，６４ｄは前記突起部６３ｂ，６４ｂとそれぞれ対角線上に対向した位置に設けられる。この突起部は、背景切替体５１の回転に伴って常時第２のコンタクトガラス７に当接し、この第２のコンタクトガラス７と前記背景板５２の白色面５２ａ及び黒色面５２ｂとの間に原稿を通過させるための一定のギャップが保持される。また、前記側板６２ａ，６２ｂの前記背景板５２の背面側に面した部分は円弧状の張出部６３ｅ，６４ｅとなっている。このような張出部６３ｅ，６４ｅを設けることによって、ガイドホルダ５５に設けられている回転ガイド部６１の内周面に沿って背景切替体５１の回転をスムーズにガイドすることができる。
【００３１】
前記突起部は、ガイドホルダ５５を底部側から付勢する付勢バネ５８の付勢力によって第２のコンタクトガラス７に常時当接しており、この第２のコンタクトガラス７と背景板５２の各平面部５２ａ，５２ｂとの間の間隔を一定に保持している。なお、全ての突起部は第２のコンタクトガラス７に設定されている有効読取領域外に当接するように設定されている。
【００３２】
図６に示すように、前記支持部材６０は、金属製の板状部材によって、前記背景板５２と対向するような略Ｌ字状に形成される。この支持部材６０は、長手方向の両端部がそれぞれ内側に折り曲げられ、折り曲げられた部分の側面に一対の回転軸５３ａ、５３ｂがそれぞれカシメ固定される。
【００３３】
前記背景切替体５１の内側面には複数のボス６５と、タップが立てられた複数のネジ孔６７とが設けられ、前記支持部材６０には前記複数のポス６５に係合する係合孔６６と、前記ネジ孔６７に係合する複数の固定ネジ６８が貫通するための複数の貫通孔６９が形成されている。つまり、背景板５２はボス６５を支持部材６０の係合孔６６に係合させることによって位置決めされる。また、支持部材６０に開設されている貫通孔６９を介して固定ネジ６８をネジ孔６７にねじ留めすることによって、支持部材６０に背景板５２を一体固定させている。なお、本実施形態においては、ボス６５、ネジ孔６７を背景板５２の原稿幅方向の両端側と略中央部の３箇所に設け、ボス６５はその先端部のみが係合孔６６に挿入されるように段差状に形成されている。そして、この段差状の段差部が支持部材６０の平面部に当接するまで固定ネジ６８によってねじ留めすることで、背景板５２の白色面５２ａ及び黒色面５２ｂがそれぞれ対向する支持部材６０の各平面部とが略平行となり、Ｌ字状に成形された背景板５２を保持するとともに、曲がり等の変形を矯正することができる。
【００３４】
前記背景切替体５１は、図７に示すように、駆動モータＭＴを有する回転駆動機構によって回転制御される。この回転駆動機構は、駆動モータＭＴと、この駆動モ−タＭＴの回転力を背景切替体５１の各回転軸５３ａ，５３ｂに伝達する複数のギヤＺ１〜Ｚ８とで構成される。ここで、第１〜第４ギヤ（Ｚ１〜Ｚ４）の回転軸は駆動モータＭＴを支持するブラケット７０に回転自在に取り付けられ、第６〜第８ギヤ（Ｚ６〜Ｚ８）の回転軸はガイドホルダ５５の支持フレーム７１に対して回転自在に取り付けられる。なお、第５ギヤＺ５の回転軸は、ガイドホルダ５５を揺動可能に支持する回動ピン５７と兼用になっている。このように、第６〜第８ギヤ（Ｚ６〜Ｚ８）をガイドホルダ５５側に設けることによって、このガイドホルダ５５がギヤＺ５の回転軸（回動ピン）５７を支点にして回動する構成となっているので、ガイドホルダ５５の揺動をスムーズに行うことができるとともに、この揺動の際に各ギヤの連結が解除するようなことがない。また、第３ギヤＺ３及び第４ギヤＺ４の回転軸には前記背景板５２のホームポジションを検出するための検出フラグ７２が設けられ、ポジションセンサ７３によって前記背景板５２の位置検出を行う。
【００３５】
次に、前記背景板５２の切替動作について説明する。図８は背景板５２の回転切替動作を示す作用図、図９（ａ）は背景切替のイニシャル動作のフロー図、図９（ｂ）は背景板の回転動作のフロー図である。
【００３６】
原稿読取装置１の主電源をＯＮすることによって、背景切替体５１が図７（ａ）に示したような回転位置となるようにイニシャル動作が開始される。このイニシャル動作では、図８（ａ）に示すように、先ず、ポジションセンサ７３が検出フラグ７２を検出（ＯＮ）しているか否かを判断する（ＳＴ１０）。検出していなければ背景板５２がホームポジションにないと判断し、駆動モータＭＴを正転駆動（ＳＴ１１）し、ポジションセンサ７３が検出フラグ７２を検出するまで背景切替体５１の回転駆動を継続する（ＳＴ１２）。そして、ポジションセンサ７３が検出フラグ７２を検出した時点で駆動モータＭＴを停止する（ＳＴ１３）。これによって、背景板５２がホームポジションに位置付けられる。なお、本実施形態における背景板５２のホームポジションは、図８（ａ）に示したように、背景板５２の白色面５２ａが第２のコンタクトガラス７と平行に対向する回転位置となるように設定されている。
【００３７】
前記イニシャル動作が完了した後、本体ユニット２から原稿の給紙指令信号と同時に背景色を白色にするか黒色にするかの背景切替信号を受信（ＳＴ２０）すると、図９（ｂ）に示した背景切替動作が実行される。この背景切替動作は、給紙トレイ２０上の原稿を給紙する給紙動作の前に実行され、背景切替信号が白色背景を示す情報であれば、上述したインシャル動作で既に第２のコンタクトガラス７に対向した位置には背景板５２の白色面５２ａが位置付けられている（図８（ａ）参照）ため、背景切替動作は実行せずに終了する。背景切替信号が黒色背景を示す情報であれば、駆動モータＭＴを正転駆動（ＳＴ２１）し、パルスカウンタのカウントを開始する（ＳＴ２２）。この駆動モータＭＴの駆動によって、背景板５２が図８（ｂ）に示したように、突起部６３ａ，６４ａ及び突起部６３ｂ，６４ｂが第２のコンタクトガラス７に当接しつつ図中の矢印方向に回転する。このとき、背景板５２の回転支点（回転軸５３ａ，５３ｂ）と白色面５２ａとの距離はＬ字状の角部に向かって大きくなるため、ホルダガイド５５は付勢バネ５８の付勢力に抗して回動ピン５７を支点として下方に押し下げられる。このようにして背景板５２がガイドホルダ５５とともに第２のコンタクトガラス７に近接及び離間する方向に揺動自在となっているので、本実施形態のような角部がＬ字状となっている背景板５２の回転動作を支障なくスムーズに実行させることができる。
【００３８】
次に、駆動モータＭＴの駆動パルスをカウントするカウンタ値が予め定められた設定パスル値に到達したならば、カウンタをリセットすると同時に駆動モータＭＴを停止する（ＳＴ２４〜ＳＴ２５）。これによって、図８（ｃ）に示したように、背景板５２が約９０°回転し、第２のコンタクトガラス７に黒色面５２ｂが平行に対向するように位置付けられる。なお、駆動モータＭＴには、背景板５２が９０°回転するのに要するパルス値が予め設定される。
【００３９】
このような背景切替動作によって、白色面５２ａ又は黒色面５２ｂのいずれか一方が第２のコンタクトガラス７と対向する位置に位置付けられると、原稿送り動作が実行され、図１に示したように、片面原稿であれば第１の画像読取部４で原稿が読み取られた後、そのまま排紙トレイ２２に排出される。一方、両面原稿であれば前記第１の画像読取部４で表面が読み取られた後に、第２の画像読取部５で裏面が読み取られて排紙トレイ２２に排出される。このように、所定の原稿の読取処理が終了すると、再度イニシャル動作を実行によって、背景板５２の白色面５２ａを第２のコンタクトガラス７に対向した位置に移動させて全ての動作を終了し、次の給紙指令があるまで待機する。
【００４０】
前記背景切替信号は、操作者が本体ユニット２に設けられている操作パネルの背景切替ボタンを押すことによって送信するようにしてもよく、また、原稿の種類や読取モードに応じて切り替えるようにしてもよい。例えば、原稿の種類や読取モードに応じて切り替える場合は、「両面薄紙原稿」が操作パネル上で選択されたときや両面又は薄紙のモードが操作パネル上で選択されたとき、あるいは、両面モードと薄紙モードが同時に操作パネル上で選択されたときなどによって、背景色を白色から黒色に切り替えるようにすればよい。
【００４１】
本実施形態では、背景板５２が図８（ｂ）に示した矢印方向（搬送の上流側方向）にのみ回転するように駆動モータＭＴを一方向（正転）だけで駆動するようにしている。これは背景板５２に接触するように配置されているフィルム部材５９や背景板５２の白色面５１ａ又は黒色面５１ｂに傷が付いたり、損傷したりしないようにするためである。また、駆動モータＭＴを正逆転させずに一方向に回転させることで、制御が簡易になり、回転の位置出し精度の誤差が少なくなるといった利点もある。
【００４２】
次に、原稿の給紙から読取処理を経て排紙するまでの一連の流れを図１に基づいて概説する。最初に給紙トレイ２０上に原稿が載置されたことをエンプティセンサ（図示せず）が検知すると、繰出ローラ２７及び給紙ローラ２８が駆動する。これによって、前記給紙トレイ２０上に載置された複数の原稿が順次繰り出され、分離パッド２９によって１枚のシートに分離される。
【００４３】
前記分離パッド２９を経た原稿の先端をレジストセンサ（図示せず）が検知すると、その検知した時点から原稿を所定量搬送することによって、レジストローラ対３０のニップ部に原稿の先端が突き当たって整合され、スキューが取り除去される。その後、レジストローラ対３０、送りローラ対３１及び第１〜第３の搬送ローラ対３２、３３、３４が駆動する。前記原稿はＵ字状に延びる給紙路２３に沿って搬送される間に表面と裏面が反転した状態で第１の画像読取部４から第２の画像読取部５を順に通過する。第１の画像読取部４を通過する際に原稿の表面が読み取られ、第２の画像読取部５を通過する際に前記原稿の反対面（裏面）が読み取られる。
【００４４】
前記第２の画像読取部５を経た原稿の先端が第３の搬送ローラ対３４に到達する前に、この第３の搬送ローラ対３４と排紙ローラ対３５とが駆動し、前記第１の画像読取部４及び第２の画像読取部５を経由して表裏両面が読み取られた原稿を排紙トレイ２２に排紙する。なお、原稿の片面のみを読み取る場合は、第１の画像読取部４又は第２の画像読取部５のいずれか一方を選択する。
【００４５】
以上説明したように、本発明の原稿読取装置１では、原稿の背景色を切り替えるための背景板５２が白色面５２ａ及び黒色面５２ｂの２つの平面部からなり、これらの平面部が回転によって切り替わる構造となっている。このため、上記搬送読取ユニット３のような限られたスペース内に両面原稿を読み取るための第２の画像読取部５を設けた場合であっても、この第２の画像読取部５と対向するように前記背景板５２を備えた背景色の切り替え機構を組み込むことができる。また、両面原稿の表面と裏面を原稿の搬送方向に沿って連続して読み取ることができるとともに、両面原稿の裏写りを確実に防止することができる。
【００４６】
なお、本実施形態では、白色及び黒色の２つの背景面を構成するため白色面５２ａと黒色面５２ｂとをＬ字状に連結した背景板５２を使用したが、四角柱状の支持部材を用い、この支持部材の４方向のいずれか２つの側面を白色面、黒色面として構成することもできる。また、前記支持部材の互いに対向する一方の側面を一対の白色面に、他方の側面を一対の黒色面とすることで、半回転ごとに白色面と黒色面とが交互に切り替わるような構成にすることもできる。
【符号の説明】
【００４７】
１  原稿読取装置
２  本体ユニット
３  搬送読取ユニット
４  第１の画像読取部
５  第２の画像読取部
６  第１のコンタクトガラス
７  第２のコンタクトガラス
８  第３のコンタクトガラス
１０  光源
１１〜１５  ミラー
１６  レンズ
１７  光電変換素子
２０  給紙トレイ
２１  支持トレイ
２２  排紙トレイ
２３  給紙路
２４  中継路
２５  排紙路
２６  サイドガイド
２７  繰出ローラ
２８  給紙ローラ
２９  分離パッド
３０  レジストローラ対
３１  送りローラ対
３２  第１の搬送ローラ対
３３  第２の搬送ローラ対
３４  第３の搬送ローラ対
３５  排紙ローラ対
４１  光源
４２〜４４  ミラー
４５  レンズ
４６  光電変換素子
５０  ガイド手段
５１  背景切替体
５２  背景板
５２ａ，５２ｂ  平面部
５３ａ，５３ｂ  回転軸
５４  当接板
５５  ガイドホルダ
５６  ガイド板
５７  回動ピン
５８  付勢バネ
５９  フィルム部材
６０  支持部材
６１  回転ガイド部
６２ａ，６２ｂ  側板
６３ａ〜６３ｄ  突起部
６３ｅ  張出部
６４ａ〜６４ｄ  突起部
６４ｅ  張出部
６５  ボス
６６  係合孔
６７  ネジ孔
６８  固定ネジ
６９  貫通孔
７０  ブラケット
７１  支持フレーム
７２  検出フラグ
７３  ポジションセンサ
【図１】
2011124785.tif 000003
【図２】
2011124785.tif 000004
【図３】
2011124785.tif 000005
【図４】
2011124785.tif 000006
【図５】
2011124785.tif 000007
【図６】
2011124785.tif 000008
【図７】
2011124785.tif 000009
【図８】
2011124785.tif 000010
【図９】
2011124785.tif 000011